(57)【要約】【課題】対面で荷物を受け取る必要のない効率的な配送システムを実現すること。【解決手段】荷物側装置１は、荷物の配送依頼者によって情報入力部１０に荷物の目的地の位置情報が入力され、施錠・開錠部１２により荷物が施錠状態となると、現在地と目的地を管理装置２に送信する。管理装置２はそれを受信すると、報酬算出部２１により目的地までの報酬額を算出し、開錠コード生成部２３により開錠コードを生成して荷物の受取人に開錠コードを通知し、報酬額を荷物側装置１に送信する。荷物側装置１は報酬額を受信すると、情報出力部１１に目的地と、報酬額を表示する。その表示を見た運び手により情報入力部１０に荷物を配送したい旨と、自己のＩＤ情報が入力されると、そのＩＤ情報を管理装置２に送信し、管理装置２はＩＤ情報を受信すると、ＩＤの照合を行い、登録されたＩＤと一致する場合には、配送許可の旨を荷物側装置１に送信する。【選択図】図１
2019159487.tif 000002
【特許請求の範囲】
【請求項１】
荷物に付随される荷物側装置と、前記荷物側装置と双方向に通信する管理装置と、を有する配送システムであって、
前記荷物側装置は、
配送に係る各種情報を入力する情報入力部と、
配送に係る各種情報を出力する情報出力部と、
前記荷物の施錠状態と開錠状態とを相互に移行可能な施錠・開錠機能部と、
自身の位置情報を随時測定する位置情報認識部と、
前記管理装置と通信し、前記位置情報認識部に測定された前記位置情報を前記管理装置に随時送信する荷物側通信部と、
施錠状態から開錠状態へと不正に移行した場合に検知する不正通知部と、
を有し、
前記管理装置は、
前記荷物側装置と通信し、前記位置情報を随時受信する管理側通信部と、
前記荷物の施錠状態を開錠状態へとするための開錠コードを生成する開錠コード生成部と、
運び手のＩＤ情報を管理するＩＤ管理部と、
運び手に対して提示する報酬額を算出する報酬算出部と、
前記荷物側装置の前記位置情報を随時記憶する荷物位置記憶部と、
配送の状態を記憶し管理する配送プロセス管理部と、
を有し、
前記荷物側装置は、前記荷物の配送依頼者によって前記情報入力部に前記荷物の目的地の位置情報が入力され、前記施錠・開錠部により前記荷物が施錠状態となると、前記荷物側通信部により、前記位置情報認識部に測定された現在地の位置情報と、目的地の位置情報を前記管理装置に送信し、
前記管理装置は、前記管理側通信部により現在地の位置情報と目的地の位置情報を受信すると、現在地を荷物位置記憶部に記憶し、前記配送プロセス管理部に目的地を記憶するとともに配送待ち状態である旨を記憶し、前記報酬算出部により目的地までの報酬額を算出し、前記開錠コード生成部により開錠コードを生成して荷物の受取人に開錠コードを通知し、前記管理側通信部により報酬額の情報を前記荷物側装置に送信し、
前記荷物側装置は、前記荷物側通信部により報酬額の情報を受信すると、前記情報出力部に目的地と、報酬額を表示し、その表示を見た運び手により前記情報入力部に前記荷物を配送したい旨と自己のＩＤ情報とが入力されると、前記荷物側通信部によりそのＩＤ情報を前記管理装置に送信し、
前記管理装置は、前記管理側通信部によりＩＤ情報を受信すると、前記ＩＤ管理部によりＩＤの照合を行い、登録されたＩＤと一致する場合には、前記配送プロセス管理部に配送状態となった旨を記憶するとともに、前記管理側通信部により配送許可の旨を前記荷物側装置に送信し、
前記荷物側装置は、前記荷物側通信部により前記配送許可の旨を受信すると、前記情報出力部に配送開始の旨を表示し、運び手により配送されて前記荷物が目的地に到着し、前記情報入力部に配送完了の旨が入力されると、前記荷物側通信部により前記位置情報認識部に測定された現在地の位置情報と、配送完了の旨を前記管理装置に送信し、
前記管理装置は、前記管理側通信部により現在地の位置情報と配送完了の旨を受信すると、荷物位置記憶部に記憶された現在地と目的地が一致しているか照合し、一致している場合には、運び手に報酬額を付与し、前記配送プロセス管理部に配送完了の旨を記憶し、
前記荷物側装置は、目的地において受取人により前記情報入力部に正しい開錠コードが入力されると、前記施錠・開錠部により前記荷物を開錠状態とする、
ことを特徴とする配送システム。
【請求項２】
前記荷物側装置は、運び手により前記情報入力部に前記荷物を配送したい旨と、自己のＩＤ情報が入力される際に、現在地と目的地との間の中間地まで配送したい旨が入力されると、前記荷物側通信部により中間地の位置情報を前記管理装置に送信し、
前記管理装置は、前記管理側通信部により中間地の位置情報を受信すると、前記報酬算出部により現在地から中間地までの報酬額と、中間地から目的地までの報酬額を算出し、その中間地までの報酬額の情報を前記荷物側通信部により前記荷物側装置に送信し、
前記荷物側装置は、前記荷物側通信部により中間地までの報酬額の情報を受信すると、その報酬額を前記情報出力部に表示し、その表示を見た運び手により前記情報入力部に前記荷物を中間地まで配送したい旨が入力されると、前記荷物側通信部によりその旨を前記管理装置に送信し、前記情報出力部に配送開始の旨を表示し、
前記管理装置は、前記荷物を中間地まで配送したい旨を受信すると、前記配送プロセス管理部に中間地までの配送状態である旨を記憶し、
前記荷物側装置は、運び手により配送されて前記荷物が中間地に到着し、前記情報入力部に配送完了の旨が入力されると、前記荷物側通信部により前記位置情報認識部に測定された現在地の位置情報と、配送完了の旨を前記管理装置に送信し、
前記管理装置は、前記管理側通信部により現在地の位置情報と配送完了の旨を受信すると、荷物位置記憶部に記憶された現在地と中間地が一致しているか照合し、一致している場合には、運び手に中間地までの報酬額を付与し、前記配送プロセス管理部に配送待ち状態である旨を記憶し、前記管理側通信部により配送待ち状態である旨と、中間地から目的地までの報酬額を前記荷物側装置に送信し、
前記荷物側装置は、前記荷物側通信部により配送待ち状態である旨と中間地から目的地までの報酬額を受信すると、前記情報出力部に目的地と、中間地から目的地までの報酬額を表示する、
ことを特徴とする請求項１に記載の配送システム。
【請求項３】
前記荷物側装置の前記施錠・開錠部は、開閉自在なボックス、口を開閉可能な袋、または、荷物にくくり付けられるベルトである、
ことを特徴とする請求項１または請求項２に記載の配送システム。
【請求項４】
前記荷物側装置の前記情報入力部、前記情報出力部、前記位置情報認識部、および前記荷物側通信部は、タブレット型端末である、
ことを特徴とする請求項１ないし請求項３のいずれか１項に記載の配送システム。
【発明の詳細な説明】
【技術分野】
【０００１】
本発明は、荷物を目的地まで配送する配送システムに関するものであり、特に、運び手と受取人とが対面せずに済む配送システムに関するものである。
【背景技術】
【０００２】
近年、インターネットを利用した通信販売等の拡大により荷物量が増大している。また、当日配達などサービスの質の向上も求められている。そのため、より効率的な配送システムが求められている。
【０００３】
現在の荷物配送の多くは、依頼者から受け取った荷物を近くの配送センターに集約し、そこから目的地近くの配送センターまで配送し、さらにその配送センターから各戸まで配送する方式である。この方式では、配送センター間の配送は高効率、低コストに実現できているが、配送センターから各戸までの配送は効率が悪い。その理由の１つは、配送員と受取人とが対面で荷物の受け取りをしなければならず、受取人が不在の場合、配送員は荷物を再配達する必要があり、その結果配送員の不足や高コスト化を招いているためである。いわゆるラストワンマイル問題である。
【０００４】
このラストワンマイル問題を解決するために、宅配ボックスを利用することが行われている。宅配ボックスでは、配送員はボックスに荷物を入れて施錠し、受領証を受け取り、受取人は暗証番号などによってボックスを開錠して荷物を受け取る。このように、配送員と受取人とが対面せずに荷物を受け取ることができる。
【０００５】
他のラストワンマイル問題を解決する方法として、自動運転車やドローンなどを用いた無人配達が検討され、研究、開発が進められている。これにより配送員の不足の問題を解決しようというものである。
【０００６】
また、配送員の不足を解消するため、配送員をクラウドソース化、シェアリング化することも行われている。たとえば、不特定のドライバーと荷主とをマッチングして配送するサービスが存在している（たとえば非特許文献１、２）。その具体的な方法は次の通りである。荷主は、ＰＣやスマートフォンのアプリを用いて出発地、目的地、日程などの情報を入力する。ドライバーにはアプリを介して配送依頼が通知される。ドライバーは、条件に合う配送依頼があれば、配送可能である旨のエントリーを行う。そして、荷主には、条件にマッチングしたドライバーと見積額が提示される。荷主は提示されたドライバーの中からいずれかを選択する。選択されたドライバーは荷物の集荷に赴き、荷主から荷物を受け取り、目的地まで荷物の配送を行う。
【０００７】
また、配送システムのセキュリティ向上を図った技術として、特許文献１がある。特許文献１には、重要な荷物を確実に受取人に配送するために、所定の収納容器に荷物を収納して配送することが記載されている。
【０００８】
より詳細な特許文献１の配送システムの動作は次の通りである。預け入れ人は、収納容器に荷物を入れ、収納容器は荷物を検知する。次に、預け入れ人は自身の携帯電話を使用して、収納容器に表示されている電話番号に電話する。収納容器はこれを受信して預け入れ人の電話番号を記憶する。次に、預け入れ人は、収納容器の入力部の操作により受取人の電話番号を入力し、収納容器はこの電話番号を記憶する。そして、収納容器は施錠状態となる。次に、預け入れ人は、施錠状態となった収納容器を配送員に預け、配送員は受取人に届ける。受取人は、収納容器に表示されている電話番号に電話する。収納容器はこれを受信して受取人の電話番号を記憶する。そして、その電話番号が、預け入れ人の入力した受取人の電話番号と一致していれば、収納容器は開錠状態となる。このように、特許文献１の配送方法では、携帯電話の番号を個人のＩＤとして利用することで、受取人に確実に荷物を配送することができる。
【先行技術文献】
【特許文献】
【０００９】
【特許文献１】特許第４７５９９３４号公報
【非特許文献】
【００１０】
【非特許文献１】ピックゴー、http://pickgo.town/
【非特許文献２】ハコベル、https://www.hacobell.com/
【発明の概要】
【発明が解決しようとする課題】
【００１１】
しかし、非特許文献１、２の配送システムでは、配送員が受取人と対面して荷物を受け取る必要があり、再配達の問題の解消にはならない。また、非特許文献１、２の配送システムは、一般人にまで配送員を拡張してクラウドソース化、シェアリング化を押し進めた場合にはセキュリティ上の懸念がある。特許文献１の配送システムでは、セキュリティ向上を図ることはできるが、収納容器を直接配送員から受取人へと手渡すことが前提とされており、やはり再配達の問題を解消することはできない。
【００１２】
また、宅配ボックスは、対面しなければならない問題は解決するが、設置場所、設置コストなどの別の問題があり、十分に普及していない。
【００１３】
また、自動運転車やドローンなどを用いた無人配達は実用化の段階にはまだ遠い。仮に実現したとしても、路上から建物の入り口、さらにはその入り口から各戸までの配送については無人配達でカバーすることは困難であり、ボトルネックとなってしまう。
【００１４】
そこで本発明の目的は、対面で荷物を受け取る必要のない効率的な配送システムを実現することである。
【課題を解決するための手段】
【００１５】
本発明は、荷物に付随される荷物側装置と、荷物側装置と双方向に通信する管理装置と、を有する配送システムであって、
荷物側装置は、配送に係る各種情報を入力する情報入力部と、配送に係る各種情報を出力する情報出力部と、荷物の施錠状態と開錠状態とを相互に移行可能な施錠・開錠機能部と、自身の位置情報を随時測定する位置情報認識部と、管理装置と通信し、位置情報認識部に測定された位置情報を管理装置に随時送信する荷物側通信部と、施錠状態から開錠状態へと不正に移行した場合に検知する不正通知部と、を有し、
管理装置は、荷物側装置と通信し、位置情報を随時受信する管理側通信部と、荷物の施錠状態を開錠状態へとするための開錠コードを生成する開錠コード生成部と、運び手のＩＤ情報を管理するＩＤ管理部と、運び手に対して提示する報酬額を算出する報酬算出部と、荷物側装置の位置情報を随時記憶する荷物位置記憶部と、配送の状態を記憶し管理する配送プロセス管理部と、を有し、
荷物側装置は、荷物の配送依頼者によって情報入力部に荷物の目的地の位置情報が入力され、施錠・開錠部により荷物が施錠状態となると、荷物側通信部により、位置情報認識部に測定された現在地の位置情報と、目的地の位置情報を管理装置に送信し、
管理装置は、管理側通信部により現在地の位置情報と目的地の位置情報を受信すると、現在地を荷物位置記憶部に記憶し、配送プロセス管理部に目的地を記憶するとともに配送待ち状態である旨を記憶し、報酬算出部により目的地までの報酬額を算出し、開錠コード生成部により開錠コードを生成して荷物の受取人に開錠コードを通知し、管理側通信部により報酬額の情報を荷物側装置に送信し、
荷物側装置は、荷物側通信部により報酬額の情報を受信すると、情報出力部に目的地と、報酬額を表示し、その表示を見た運び手により情報入力部に荷物を配送したい旨と自己のＩＤ情報とが入力されると、荷物側通信部によりそのＩＤ情報を管理装置に送信し、
管理装置は、管理側通信部によりＩＤ情報を受信すると、ＩＤ管理部によりＩＤの照合を行い、登録されたＩＤと一致する場合には、配送プロセス管理部に配送状態となった旨を記憶するとともに、管理側通信部により配送許可の旨を荷物側装置に送信し、
荷物側装置は、荷物側通信部により配送許可の旨を受信すると、情報出力部に配送開始の旨を表示し、運び手により配送されて荷物が目的地に到着し、情報入力部に配送完了の旨が入力されると、荷物側通信部により位置情報認識部に測定された現在地の位置情報と、配送完了の旨を管理装置に送信し、
管理装置は、管理側通信部により現在地の位置情報と配送完了の旨を受信すると、荷物位置記憶部に記憶された現在地と目的地が一致しているか照合し、一致している場合には、運び手に報酬額を付与し、配送プロセス管理部に配送完了の旨を記憶し、
荷物側装置は、目的地において受取人により情報入力部に正しい開錠コードが入力されると、施錠・開錠部により荷物を開錠状態とする、
ことを特徴とする配送システムである。
【００１６】
また、本発明は、配送経路を任意に分割して異なる運び手によって数珠つなぎ式、ヒッチハイク式に配送することも可能である。その場合、以下のようにすればよい。
【００１７】
荷物側装置は、運び手により情報入力部に荷物を配送したい旨と、自己のＩＤ情報が入力される際に、現在地と目的地との間の中間地まで配送したい旨が入力されると、荷物側通信部により中間地の位置情報を管理装置に送信し、
管理装置は、管理側通信部により中間地の位置情報を受信すると、報酬算出部により現在地から中間地までの報酬額と、中間地から目的地までの報酬額を算出し、その中間地までの報酬額の情報を荷物側通信部により荷物側装置に送信し、
荷物側装置は、荷物側通信部により中間地までの報酬額の情報を受信すると、その報酬額を情報出力部に表示し、その表示を見た運び手により情報入力部に荷物を中間地まで配送したい旨が入力されると、荷物側通信部によりその旨を管理装置に送信し、情報出力部に配送開始の旨を表示し、
管理装置は、荷物を中間地まで配送したい旨を受信すると、配送プロセス管理部に中間地までの配送状態である旨を記憶し、
荷物側装置は、運び手により配送されて荷物が中間地に到着し、情報入力部に配送完了の旨が入力されると、荷物側通信部により位置情報認識部に測定された現在地の位置情報と、配送完了の旨を管理装置に送信し、
管理装置は、管理側通信部により現在地の位置情報と配送完了の旨を受信すると、荷物位置記憶部に記憶された現在地と中間地が一致しているか照合し、一致している場合には、運び手に中間地までの報酬額を付与し、配送プロセス管理部に配送待ち状態である旨を記憶し、管理側通信部により配送待ち状態である旨と、中間地から目的地までの報酬額を荷物側装置に送信し、
荷物側装置１は、荷物側通信部により配送待ち状態である旨と中間地から目的地までの報酬額を受信すると、情報出力部に目的地と、中間地から目的地までの報酬額を表示する。
【００１８】
荷物側装置の施錠・開錠部は、たとえば、開閉自在なボックス、口を開閉可能な袋、荷物にくくり付けられるベルトである。
【００１９】
荷物側装置の情報入力部、情報出力部、位置情報認識部、および荷物側通信部は、たとえば、タブレット型端末とすることができる。
【発明の効果】
【００２０】
本発明によれば、運び手と受取人とが対面せずに荷物の受け取りを行うことができる。そのため、受取人不在による再配達が不要となる。また、運び手のクラウドソース化、シェアリング化を図ることができる。そのため、運び手の不足を解消することができ、効率的に荷物を配送することがてきる。
【図面の簡単な説明】
【００２１】
【図１】実施例１の配送システムの構成を示した図。
【図２】荷物側装置１の構成を示した図。
【図３】配送経路を示した図。
【図４】配送経路を示した図。
【発明を実施するための形態】
【００２２】
以下、本発明の具体的な実施例について図を参照に説明するが、本発明は実施例に限定されるものではない。
【実施例１】
【００２３】
図１は、実施例１の配送システムの構成を示した図である。図１のように、実施例１の配送システムは、荷物側装置１と、管理装置２によって構成され、荷物側装置１と管理装置２との間で通信が行われる。以下、各構成についてより詳しく説明する。
【００２４】
（荷物側装置１の構成）
荷物側装置１は、配送対象となる荷物に付随する装置であり、情報入力部１０と、情報出力部１１と、施錠・開錠部１２と、位置情報認識部１３と、荷物側通信部１４と、不正開錠検知部１５と、によって構成されている。そのうち、施錠・開錠部１２と不正開錠検知部１５以外はタブレット型端末１６である。
【００２５】
情報入力部１０および情報出力部１１は、配送に必要な各種情報を入力、出力するためのものであり、タッチパネルディスプレイである。ディスプレイに文字、画像、動画等を表示することで情報を出力する。また、ディスプレイに接触することで情報の入力を行う。
【００２６】
情報入力部１０および情報出力部１１はタッチパネルディスプレイに限らない。たとえば、情報入力部１０はキーボードやマウスなどでもよい。また、情報出力部１１は単なるディスプレイであってもよい。加えてマイクとスピーカーを設けて、音声による情報入出力を可能としてもよい。また、配送依頼者、運び手、あるいは受取人自身が所持する携帯電話やタブレット型端末を情報入力部１０および情報出力部１１としてもよい。
【００２７】
施錠・開錠部１２は、荷物の施錠状態と開錠状態とを相互に可逆的に移行させることができる機能を有したものである。開錠状態とは、荷物から荷物側装置が取り外せる状態、あるいは取り外した状態である。また、施錠状態とは、荷物に荷物側装置１を付随させて開錠状態へと移行できなくした状態である。施錠・開錠部１２は、施錠状態と開錠状態とを区別して検知できるのであれば任意の構成でよい。たとえば、図２（ａ）のように、施錠・開錠部１２は荷物にくくり付けて使用するベルトである。あるいは、図２（ｂ）のように、荷物を収納可能で開閉自在なボックスである。あるいは、図２（ｃ）のように、中に荷物を入れることができる袋状のもので、口を紐やジッパーなどで開閉可能としたものである。
【００２８】
位置情報認識部１３は、荷物側装置１の位置を随時測定するものである。位置の測定方法は従来知られている任意の方法でよい。たとえば、ＧＰＳなどの衛星測位システムを用いて位置を測定する。無線ＬＡＮスポットや携帯電話基地局との通信などによって位置精度を高めてもよい。
【００２９】
荷物側通信部１４は、管理装置２との通信を行うものである。これにより、荷物側装置１と管理装置２との間で、荷物の配送に必要な各種の情報や不正検知の情報を送受信する。通信は、携帯電話網や無線ＬＡＮなどの無線通信網を利用する。
【００３０】
不正開錠検知部１５は、施錠・開錠部１２による施錠状態が、不正の手段によって開錠状態に移行した場合に検知する装置である。不正開錠検知部１５は、施錠・開錠部１２に内蔵されたセンサである。たとえば、施錠・開錠部１２がベルトである場合、ベルトの切断などをセンサにより検知する。施錠・開錠部１２が箱や袋である場合、箱や袋の開封をセンサにより検知したり、箱や袋の破壊をセンサにより検知する。電子錠などにより施錠と開錠を検知してもよい。また、不正開錠検知部１５はカメラを有し、不正開錠が検知された場合に荷物側装置１の周囲を撮影する。
【００３１】
（管理装置２の構成）
管理装置２は、管理側通信部２０と、報酬算出部２１と、ＩＤ管理部２２と、開錠コード生成部２３と、荷物位置記憶部２４と、配送プロセス管理部２５と、不正通知部２６と、によって構成されている。管理装置２は、コンピュータにおいてハードウェアとソフトウェアにより実現される。
【００３２】
管理側通信部２０は、荷物側装置１と通信を行うものである。荷物側装置１と管理装置２との間で、荷物の配送に必要な情報を送受信する。荷物の配送に必要な各種の情報や不正検知の情報を送受信する。
【００３３】
報酬算出部２１は、荷物の現在地や目的地などに応じて、荷物の運び手に対する報酬額を算出するものである。具体的な算出方法については後述する。報酬額は金銭に限らず、商品やサービス等と交換可能なポイントでもよい。
【００３４】
ＩＤ管理部２２は、運び手のＩＤを記憶し、管理するものである。運び手のＩＤは、荷物側装置１の情報入力部１０から行ってもよいし、スマートフォンやＰＣのアプリなどによって事前登録するようにしてもよい。また、ＩＤ情報は、氏名、住所、顔画像、などの個人を特定する情報であればよい。また、指紋、虹彩、顔の距離画像などの生体情報であってもよい。
【００３５】
開錠コード生成部２３は、配送依頼があった場合に、その配送に固有の開錠コードを生成するものである。開錠コードは、たとえば英数字の文字列である。受取人のＩＤ情報として生体情報が登録されている場合には、生体情報を開錠コードとしてもよい。
【００３６】
荷物位置記憶部２４は、荷物側装置１から送られてくる荷物側装置１の位置情報を記憶し管理するものである。
【００３７】
配送プロセス管理部２５は、荷物の情報、荷物の出発地、目的地、中間地、配送依頼者、運び手、受取人、配送料、報酬額、開錠コードなどの配送に係る各種の情報を記憶し管理する。
【００３８】
不正通知部２６は、荷物側装置１からの不正開錠の通知や、荷物側装置１の位置情報などを基にして、荷物の持ち逃げ、配送放棄などの不正を検知し、それらの不正を実施例１の配送システムの運用者に通知するものである。また、必要に応じてそれらの不正の情報を警察に提供するものである。
【００３９】
次に、実施例１の配送システムにより荷物が目的地まで配送される動作について説明する。
【００４０】
まず、図３のように、出発地がＡ地点、目的地がＢ地点である場合に、Ａ地点からＢ地点まで荷物を配送する場合について説明する。
【００４１】
荷物の配送依頼者は、まず荷物側装置１を入手する。そして、荷物側装置１の情報入力部１０により、自身のＩＤ情報、目的地の位置情報、荷物の種類、大きさ、重さ、受取人のＩＤ情報、希望する受け取り日時などを入力する。荷物側装置１は、これらの情報を管理装置２に送信する。荷物側装置１と管理装置２との間での通信は、荷物側装置１の荷物側通信部１４、管理装置２の管理側通信部２０により行われるが、以下では説明の簡略のため、荷物側通信部１４、管理側通信部２０による旨を省略する。
【００４２】
なお、荷物側装置１は自己の位置情報を位置情報認識部１３によって随時取得し、管理装置２に送信しており、管理装置２は荷物位置記憶部２４にその位置情報を随時記憶している。
【００４３】
管理装置２は、荷物側装置１からこれらの情報を受信すると、報酬算出部２１によって配送料を算出する。配送料は、荷物の大きさ、重さ、種類、現在地（Ａ地点）から目的地（Ｂ地点）までの距離、希望到着日時などに応じて決定される。配送料は、後述の報酬額算出に置けるコスト減少額Ｘでもよいし、Ｘに適当なマージン率ｂを加えた値Ｘ（１＋ｂ）であってもよい。また、受け取り時間内に配送が不可能であれば、その旨および可能な到着日時の情報を生成する。そして、配送の可否および配送料の情報を荷物側装置１に送信する。
【００４４】
荷物側装置１は、管理装置２から配送の可否および配送料の情報を受信すると、情報出力部１１に到着日時内の配送が可能であるかを表示し、不可能であれば、可能な到着日時を提示する。また、情報出力部１１に配送料を表示する。配送依頼者は、配送の可否、および配送料を確認し、その条件での配送を承諾するなら、その旨を情報入力部１０に入力し、荷物側装置１を荷物に付随させて施錠・開錠部１２により荷物を施錠状態にする。
【００４５】
荷物側装置１は、配送が確定した旨、荷物が施錠状態となった旨を送信する。管理装置２は、その情報を受信すると、配送プロセス管理部２５において、その配送に係る各種情報（荷物の出発地、現在地、目的地の位置情報、荷物の種類、大きさ、重さ、配送依頼者のＩＤ情報、受取人のＩＤ情報、希望する受け取り日時など）を記憶し、管理する。また、管理装置２は、配送プロセス管理部２５において、荷物が配送待ち状態となった旨を記憶する。
【００４６】
また、管理装置２は、配送地点（Ｂ地点）までの報酬額を報酬算出部２１によって算出する。その算出方法は次の通りである。Ａ地点からＢ地点まで、実施例１の配送システムの運用者である配送業者等が配送する場合を仮定し、Ａ地点からＢ地点までの荷物配送タスクが１つ減少した場合のコスト減少額Ｘを算出する。そしてコスト減少額Ｘに、適当なマージン率ａを除いた額Ｘ（１−ａ）を算出する。これを報酬額とする。コスト減少額Ｘは、たとえば、Ａ地点からＢ地点まで配送業者が配送する場合の所要時間に、配送員の時給を乗じた額である。運び手の配送実績に応じて、マージン率を抑えたり、追加報酬を加えたりしてもよい。なお、報酬額は、実際に荷物の配送が完了しないと確定しないため、この算出した報酬額はあくまで上限値となる。管理装置２は、上記のようにして算出した報酬額を配送プロセス管理部２５に記憶し、報酬額と、配送待ちとなった旨を荷物側装置１に送信する。
【００４７】
また、管理装置２は、開錠コード生成部２３により、その配送に固有の開錠コードを生成し、配送プロセス管理部２５に記憶する。そして、受取人に配送の通知、配送依頼者の情報、荷物の受取場所（目的地のＢ地点）、開錠コードを通知する。受取人への通知は、電子メール、電話など任意の方法でよい。また、開錠コードを荷物側装置１に送信し、受け取り時に受取人のＩＤ照合した上で荷物側装置１の情報出力部１１に開錠コードを出力するようにしてもよい。
【００４８】
荷物側装置１は、管理装置２から報酬額と配送待ちとなった旨を受信すると、配送の目的地（Ｂ地点）、受け取り日時、および報酬額を情報出力部１１に表示する。また、報酬額は上限値であり、配送が完了しないと報酬額は確定しない旨も表示する。
【００４９】
配送依頼者は、施錠状態となり配送待ち状態となった荷物を、近くの路上脇、コンビニエンスストア入り口など、不特定の運び手の目につきやすい場所に放置する。
【００５０】
なお、配送待ち状態となった荷物は、運び手に自然に発見されるのを待ってもよいが、実施例１の配送システムのＩＤ登録者に対して荷物の位置や目的地を通知してもよい。通知は、たとえば、スマートフォンやＰＣなどのアプリや、電子メールなどによって通知する。
【００５１】
配送待ちの荷物を確認した運び手は、荷物側装置１の情報出力部１１に表示された荷物の目的地（Ｂ地点）や受け取り日時、報酬額を確認する。そして、自身が配送を承諾する場合、情報入力部１０に自己のＩＤ情報と、配送したい旨を入力する。この配送システムの新規利用者である場合には、自己のＩＤ情報を登録する。荷物側装置１は、ＩＤ情報を管理装置２に送信する。管理装置２は、ＩＤ管理部２２に記憶されたＩＤ情報と照合し、一致するＩＤがあれば配送を許可する旨の情報を荷物側装置１に送信する。一致するＩＤがなければ、ＩＤの再入力や新規登録をすべき旨を荷物側装置１に送信し、情報出力部１１にその旨を表示する。
【００５２】
配送許可の旨を荷物側装置１が受信すると、その旨を情報出力部１１に表示するとともに、荷物をどの地点まで配送するかの入力を求める表示をする。ここでは、最終的な目的地（Ｂ地点）まで配送する旨を情報入力部１０に入力したとする。荷物側装置１は、配送地点の情報を管理装置２に送信する。管理装置２は、配送プロセス管理部２５において、配送状態となった旨を記憶する。これにより、荷物は配送状態となる。また、荷物側装置１の情報出力部１１に配送開始の旨を表示し、運び手が配送を開始するよう促す。
【００５３】
なお、所定時間までに運び手が現れなかった場合には、実施例１の配送システムを運用する配送業者等が運び手となり、荷物側装置１の位置情報を元に、荷物の場所まで行き、荷物を回収し、目的地まで配送する。
【００５４】
運び手は、荷物を目的地（Ｂ地点）まで配送する。管理装置２は、荷物側装置１からの荷物側装置１の位置情報を随時受信し、荷物位置記憶部２４に記憶する。ここで、運び手が不正をしないか次のようにして検知する。不正を検知した場合、管理装置２の不正検知部２６により実施例１の配送システムの運用者に不正を通知する。
【００５５】
たとえば、次のような場合、運び手は配送を途中で放棄したと判断する。管理装置２の荷物位置記憶部２４に記憶された荷物位置により、荷物が一定時間動いていないと判断される場合、運び手に対して、荷物を運んでいるかどうか問い合わせをする。問い合わせは、荷物側装置１の情報出力部１１に表示したり、運び手の携帯電話、電子メールなどで行う。この問い合わせに対して一定時間内に返答がない場合、配送放棄とみなす。そして、配送ステータスを配送状態から配送待ち状態に戻す。逃げた運び手に対しては、何らかのペナルティを課す。たとえば、マイナスの報酬を付与したり、実施例１の配送システムを一定期間利用停止とする。
【００５６】
たとえば、次のような場合、運び手は荷物を持ち逃げしたと判断する。管理装置２の荷物位置記憶部２４に記憶された荷物位置により、荷物が所定のエリア外に位置すると判断される場合（具体的には、出発地（Ａ地点）と目的地（Ｂ地点）とを焦点とする楕円領域の外に位置する場合）、運び手に対して、妥当なルートで配送しているかどうか問い合わせをする。問い合わせの通知の仕方は上記配送放棄の場合と同様である。この問い合わせに対して一定時間内に返答がない場合、荷物の持ち逃げと判断する。また、著しく想定エリアを逸脱している場合には、問い合わせをすることなく持ち逃げと判断してもよい。
【００５７】
持ち逃げと判断した場合、管理装置２は、荷物側装置１の不正開錠検知部１５のカメラによって周囲を撮影するように制御する。そして、撮影した画像を管理装置２に送信するように制御する。管理装置２は、必要に応じて、撮影した画像および荷物の位置情報を警察に提供する。
【００５８】
また、次のような場合も、荷物が盗難されたと判断する。荷物側装置１の不正開錠検知部１５により、施錠状態から開錠状態となったことが検知された場合、荷物側装置１は、ただちにカメラによって周囲を撮影し、不正開錠の旨、荷物の位置情報、および撮影した画像を管理装置２に送信する。管理装置２は、必要に応じて、撮影した画像および荷物の位置情報を警察に提供する。
【００５９】
なお、これらの不正時において、荷物側装置１のスピーカーから警告音などを発するようにしてもよい。
【００６０】
また、これらの不正時の対応、ペナルティは、運び手に対して十分に周知を図ることが望ましい。犯罪を未然に抑止するためである。また、配送依頼者に対しても、このような不正のリスクがある点は十分に周知しておく必要がある。
【００６１】
運び手が目的地（Ｂ地点）に到着したら、運び手は荷物側装置１の情報入力部１０に配送完了の旨を入力する。荷物側装置１は、配送完了の旨を管理装置２に送信し、管理装置２は、荷物位置記憶部２４に記憶された荷物の現在地と目的地（Ｂ地点）が一致しているか照合する。一致している場合、管理装置２は配送完了の旨を荷物側装置１に送信し、配送が完了した旨と報酬額を荷物側装置１の情報出力部１１に表示する。また、運び手に対し、所定の方法により報酬額を付与する。また、荷物の現在地と目的地（Ｂ地点）が一致していない場合は、管理装置２は、配送を継続する旨を荷物側装置１に送信し、情報出力部１１にその旨を表示する。荷物の現在地と目的地との照合は、荷物側装置１で処理してもよい。配送が完了すると、運び手はＢ地点に荷物を放置する。また、管理装置２は、配送プロセス管理部２５において、配送が完了して受取待ち状態となった旨を記憶する。また、管理装置２は、受取人に荷物がＢ地点に届いた旨を通知する。
【００６２】
Ｂ地点に到着した受取人は、事前に通知された開錠コードを荷物側装置１の情報入力部１０に入力する。あるいは、受取人のＩＤ情報をあらかじめ登録しておき、情報入力部１０へのＩＤ情報入力によりＩＤ照合し、情報出力部１１に開錠コードを表示してもよい。荷物側装置１は、入力された開錠コードを管理装置２に送信する。管理装置２は、開錠コードの成否を判定し、正しい開錠コードであれば、開錠状態とする指示を荷物側装置１に送信する。荷物側装置１は開錠状態とする指示により、荷物側装置１は開錠状態となる。なお、あらかじめ正しい開錠コードを荷物側装置１に記憶しておき、荷物側装置１で開錠コードの成否の判定処理を行ってもよい。受取人は、荷物側装置１を取り外し、荷物を受け取る。以上によってＡ地点からＢ地点までの荷物の配送は完了する。管理装置２は、配送プロセス管理部２５において、配送完了となった旨を記憶する。
【００６３】
一定期間、受取人が現れない場合には、目的地を配送依頼者の所在地とし、配送待ち状態に戻して、同様の配送プロセスにより配送依頼者に荷物が返送されるようにする。また、管理装置２は、配送依頼者に荷物が返送される旨と、開錠コードを通知する。
【００６４】
このように、実施例１の配送システムでは、運び手と受取人とが対面で荷物を受け取る必要がない。そのため、従来の配送システムで問題となっていた再配達は生じず、効率的に荷物を配送することができる。
【００６５】
なお、配送依頼者の手元に荷物側装置１がない場合、実施例１の配送システムと同様の配送プロセスで、配送業者等の元から配送依頼者に荷物側装置１を届けてもよい。つまり、荷物はなしで、目的地を配送依頼者の所在地に指定して、実施例１の配送プロセスで配送すればよい。
【００６６】
また、配送完了後の荷物側装置１についても、同様にして受取人の元から配送業者に荷物側装置１を届けてもよい。あるいは、近くに新たな配送依頼者が存在する場合には、その配送依頼者に荷物側装置１を届けてもよい。
【００６７】
次に、図４のように、Ａ地点とＢ地点の間にあるＣ地点まで荷物を配送する場合について説明する。この場合、運び手の目的地指定の手順と、目的地がＢ地点ではなくＣ地点となること、報酬額の算出方法が異なること、以外は同様の配送プロセスとなる。
【００６８】
運び手のＩＤ照合をし、配送許可の旨を情報出力部１１に表示し、荷物をどの地点まで配送するかの入力を求める表示をするところまでは同様である。ここで、運び手は、Ａ地点とＢ地点の中間地点であるＣ地点までなら配送できると考えれば、そのＣ地点を情報入力部１０に入力する。荷物側装置１は、中間配送地点（Ｃ地点）の情報を管理装置２に送信する。
【００６９】
管理装置２は、中間配送地点の情報を受信すると、その中間配送地点（Ｃ地点）までの報酬額を報酬算出部２１によって算出する。その算出方法は次の通りである。Ａ地点からＢ地点まで、実施例１の配送システムの運用者である配送業者が配送する場合を仮定し、Ａ地点からＢ地点までの荷物配送タスクが１つ減少した場合のコスト減少額Ｘを算出する。同様に、Ｃ地点からＢ地点までの荷物配送タスクが１つ減少した場合のコスト減少額Ｙを算出する。そして、Ｘ−Ｙに、適当なマージン率ａを除いた額（Ｘ−Ｙ）（１−ａ）を算出する。これをＣ地点までの配送の報酬額とする。コスト減少額Ｘは、たとえば、Ａ地点からＢ地点まで配送業者が配送する場合の所要時間に、配送員の時給を乗じた額である。コスト減少額Ｙは、たとえば、Ｃ地点からＢ地点まで配送業者が配送する場合の所要時間に、配送員の時給を乗じた額である。運び手の配送実績に応じて、マージン率を抑えたり、追加報酬を加えたりしてもよい。なお、報酬額は、実際に荷物の配送が完了しないと確定しないため、この算出した報酬額はあくまで上限値となる。管理装置２は、上記のようにして算出した報酬額を荷物側装置１に送信する。
【００７０】
なお、報酬額が０以下となる場合（Ｘ−Ｙ≦０となる場合）は、管理装置２は、Ｃ地点を選択できない旨を荷物側装置１に送信し、荷物側装置１はその旨を情報出力部１１に表示し、別の中間配送地点を選択するように促す。配送依頼者により最終目的地であるＢ地点が入力された段階で、あらかじめ報酬額が０以下となるエリアを算出しておき、運び手の中間配送地点入力のときに報酬額が０以下となるエリアは選択できないように設定してもよい。また、その後の配送が困難となるようなエリアも、あらかじめ選択できないように設定しておくとよい。たとえば、人があまり通らない路地裏や私有地などは選択できないように設定しておくとよい。また、駅、バス停、幹線道路近傍などの交通の要所のみを中間配送地点として選択できるように設定しておいてもよい。
【００７１】
荷物側装置１は、管理装置２からＣ地点までの報酬額を受信すると、その報酬額を情報出力部１１に表示する。また、報酬額は上限値であり、配送が完了しないと報酬額は確定しない旨も表示する。送り手は、その報酬額に納得できる場合にはＣ地点までの配送を承諾する旨を情報入力部１０に入力する。また、荷物側装置１は、配送承諾の旨を管理装置２に送信し、管理装置２はその旨を受信する。管理装置２は、配送プロセス管理部２５において、中間配送地点（Ｃ地点）までの配送状態となった旨を記憶する。これにより、荷物は配送状態となる。また、荷物側装置１の情報出力部１１に配送許可の旨を表示し、運び手が配送を開始するよう促す。
【００７２】
以下は前述した配送プロセスによって中間配送地点（Ｃ地点）まで配送する。Ｃ地点まで荷物が配送されると、管理装置２は配送プロセス管理部２５に配送待ち状態となった旨を記憶し、荷物側装置１にその旨とＣ地点からＢ地点までの報酬額Ｙ（１−ａ）を送信し、荷物側装置１はその情報を受信する。これにより、荷物は再び配送待ち状態となり、荷物側装置１の情報出力部１１に目的地（Ｂ地点）や受け取り日時、Ｃ地点からＢ地点までの報酬額Ｙ（１−ａ）を表示する。そして、同様の配送プロセスにより、いくつかの中間配送地点を経て、あるいは直接最終目的地のＢ地点まで荷物が配送される。
【００７３】
また、運び手は、途中で配送地点を変更することもできる。たとえば、最終目的地のＢ地点まで配送の予定であったが、中間のＣ地点に変更する場合や、逆に中間のＣ地点までの配送の予定から最終目的地のＢ地点までの配送に変更することもできる。この場合、荷物側装置１の情報入力部１０に配送地点の変更の旨と、変更後の配送地点を入力する。そして、変更後の配送地点の情報を管理装置２に送信する。管理装置２は、報酬算出部２１によって報酬額を算出し直し、算出した報酬額を荷物側装置１に送信する。そして、荷物側装置１の情報出力部１１に変更後の報酬額を表示する。運び手は、この報酬額に納得できる場合は、承諾する旨を情報出力部１１に入力する。荷物側装置１は、承諾の旨を管理装置２に送信し、管理装置２は、配送プロセス管理部２５において、配送地点の変更を行う。このようにして、運び手は配送途中でも配送地点の変更を行うことができる。
【００７４】
以上、実施例１の配送システムでは、第１に、対面で荷物を受け取る必要がなく、再配達の問題が生じない。第２に、配送員のクラウドソース化、シェアリング化を図ることができる。運び手として配送業者以外の一般人も参加することが可能である。第３に、出発地から目的地まで一人の配送員のみが配送する場合だけでなく、配送経路を運び手の都合に応じて分割して複数の不特定の運び手によって数珠つなぎ式、ヒッチハイク式に配送することも可能であり、様々な配送経路に柔軟に対応することができる。これらの結果、配送員の不足を解消することができ、効率的に荷物を配送することができる。
【００７５】
実施例１の配送システムの運用主体としては、たとえば以下の場合がある。既存の配送業者が人手不足を解消するために運用したり、新規の配送業者がより低コストな配送サービスを提供する目的で運用することが考えられる。また、個人間取引を仲介する業者が、その個人間の荷物配送のために運用することが考えられる。また、集合住宅の入り口までを通常の配送業者による配送として一括して受け取り、集合住宅の入り口から各戸までの配送を集合住宅の管理会社や自治会などが実施例１の配送システムで運用することが考えられる。
【００７６】
実施例１の配送システムのより具体的な利用態様としては、たとえば以下のような場合がある。スーツケースを持っている旅行者が、ホテルから観光地へ向かい、その後ホテルへ戻らずに駅へと向かいたいとする。このとき、ホテルを出てから駅に着くまでの間に、スーツケースをホテルから駅まで届けてほしいという需要がある。このような場合に実施例１の配送システムを利用する。旅行者は、ホテルにて貸し出された荷物側装置１をスーツケースに取り付け、希望時刻と目的地の駅を荷物側装置１の情報入力部１０に入力する。そして、スーツケースをホテル入り口などに置いておく。このスーツケースを発見したタクシー運転手などの運び手は、スーツケースをピックアップして駅まで運び、駅待合室などの適当な場所に置く。管理装置２は、旅行者にスーツケースが駅のどの位置にあるかを通知する。観光を終えて駅に着いた旅行者は、通知に従って駅の所定場所に向かい、そこでスーツケースを受け取ることができる。
【００７７】
また、実施例１の配送システムに、自動運転車やドローンなどの自動配送手段を組み込むことも可能である。それらの自動配送手段と実施例１の配送システムにおける管理装置２との間で互いに荷物の場所や目的地などの情報をやりとりし、自動配送手段を実施例１の配送システムにおける運び手として活用することで、さらなる効率的な配送システムを実現することができる。
【産業上の利用可能性】
【００７８】
本発明の配送システムは、効率的な荷物の配送に利用することができる。
【符号の説明】
【００７９】
１：荷物側装置
２：管理装置
１０：情報入力部
１１：情報出力部
１２：施錠・開錠部
１３：位置情報認識部
１４：荷物側通信部
１５：不正開錠検知部
１６：タブレット型端末
２０：管理側通信部
２１：報酬算出部
２２：ＩＤ管理部
２３：開錠コード生成部
２４：荷物位置記憶部
２５：配送プロセス管理部
２６：不正通知部
【図１】
2019159487.tif 000003
【図２】
2019159487.tif 000004
【図３】
2019159487.tif 000005
【図４】
2019159487.tif 000006